(57)【要約】【課題】遊技機の外側の枠部材に開閉可能に設けられた前側の枠部材の開放を規制する施錠強度を向上し、不正行為を防止すること。【解決手段】外側の枠部材Ｓまたは前側の枠部材Ｍのいずれか一方の枠部材の開放側の縦枠に配設し、施錠位置と、開放操作による解錠位置とに切換可能な係合フック２と、上記縦枠に沿って上下方向に進退可能に設けられ、上方または下方のいずれかへ進出する施錠位置と、上記開放操作により上記施錠位置から逆方向へ後退する解錠位置とに切換可能な係合ロッド５とを備えた施錠装置を構成する。そして前側の枠部材Ｍの閉鎖時に、係合フック２を上記施錠位置で相手側の枠部材の縦枠に設けた係合金具４に係合せしめるとともに、係合ロッド５を上記施錠位置で上記相手側の枠部材の横枠に設けた係合孔６に挿入せしめて上記相手側の枠部材の縦枠および横枠に施錠せしめるようになす。【選択図】        図１
2004154316.tif 000002
【特許請求の範囲】
【請求項１】
外枠の前に前面枠が開閉可能に設けられ、前面枠の前にガラス枠が開閉可能に設けられた遊技機において、外側の枠部材に開閉可能に設けられた前側の枠部材の開放を規制する施錠装置であって、
外側の枠部材または前側の枠部材のいずれか一方の枠部材の開放側の縦枠に配設し、施錠位置と、開放操作による解錠位置とに切換可能な係合フックと、
上記縦枠に沿って上下方向に進退可能に設けられ、上方または下方のいずれかへ進出する施錠位置と、上記開放操作により上記施錠位置から逆方向へ後退する解錠位置とに切換可能な係合ロッドとを備え、
上記前側の枠部材の閉鎖時に、上記係合フックを上記施錠位置で相手側の枠部材の縦枠に設けた係合金具に係合せしめるとともに、上記係合ロッドを上記施錠位置で上記相手側の枠部材の横枠に設けた係合孔に挿入せしめて上記相手側の枠部材の縦枠および横枠に施錠せしめるようになしたことを特徴とする遊技機の施錠装置。
【請求項２】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠の開放操作により係合フックを上記解錠位置に切換えるようになし、
上記係合ロッドを、上記ベースプレートに沿う上下方向に進退可能に支持せしめ、かつ連動手段を介して上記スライド部材と連結し、スライド部材の昇降作動により係合ロッドを上記施錠位置と上記解錠位置とに進退可能とした請求項１に記載の遊技機の施錠装置。
【請求項３】
上記スライド部材は、上記開放操作により上昇して上記係合フックを上記解錠位置へ作動せしめるように設けられ、
上記連動手段として、上記ベースプレートおよび上記スライド部材に、上記係合ロッドの基端を一連に挿通せしめる第１のスリットおよび第２のスリットを設け、ベースプレートに設けた上記第１のスリットには、スライド部材の昇降により上記第２のスリットを介して上下動する上記係合ロッドの基端を摺動案内する第１のガイド部と、中間位置に係合ロッドが上記施錠位置となるようにその基端を嵌合する嵌合部を設ける一方、上記スライド部材に設けた第２のスリットにはその下端末に、スライド部材を上記開放操作により最上部へ上昇させたとき、上記係合ロッドの基端が上記第１のスリットの嵌合部に嵌合しないように案内する第２のガイド部を設け、かつ、上記係合ロッドの基端を第１のスリットの嵌合部との係合方向へ付勢する付勢部材を設けた請求項２に記載の遊技機の施錠装置。
【請求項４】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠の開放操作により係合フックを上記解錠位置に切換えるようになし、
上記係合ロッドを、上記ベースプレートに沿う上下方向に進退可能に支持せしめ、かつ連動手段を介して上記係合フックと連結し、係合フックの切換作動により係合ロッドを上記施錠位置と上記解錠位置とに進退可能とした請求項１に記載の遊技機の施錠装置。
【請求項５】
上記係合フックは、上記開放操作による上記スライド部材の下降によりフック端が上方へ傾動して上記解錠位置へ作動せしめるように設けられ、
上記連動手段として上記係合フックのフック端に、係合フックの上記解錠位置への傾動により上記係合ロッドの基端を押し上げるプッシュロッドを設け、上記相手方の枠部材の係合孔に、係合ロッドが上記施錠位置へ押し上げられるとロッド先端を係脱可能に把持して係合ロッドを上記施錠位置に保持するクランプ部材を設けた請求項４に記載の遊技機の施錠装置。
【請求項６】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠のキー操作により係合フックを上記解錠位置に切換えるようになし、
上記係合ロッドを、上記ベースプレートに設けた電磁ソレノイドの進退可能なプランジャーで構成し、上記シリンダ錠の開放操作によりオン、オフするスイッチを設けて該スイッチにより上記電磁ソレノイドを作動状態または非作動状態に切換えることで、上記係合ロッドを上記施錠位置と上記解錠位置とに進退せしめるようになした請求項１に記載の遊技機の施錠装置。
【請求項７】
上記係合ロッドは、上記スイッチのオン時に上記電磁ソレノイドが作動して上記解錠位置に後退するように設定した請求項６に記載の遊技機の施錠装置。
【発明の詳細な説明】
【０００１】
【発明の属する技術分野】
本発明は遊技機において外枠の前に開閉可能に設けられた前面枠、および前面枠の前に開閉可能に設けられたガラス枠等、外側の枠部材に開閉可能に設けられた前側の枠部材の開放を規制する施錠装置に関する。
【０００２】
【従来の技術】
従来、パチンコ機等の遊技機は、外枠に前面枠が開閉可能に取付けられており、施錠装置により前面枠の開放を規制している。また、前面枠にガラス枠が開閉可能に取付けられており、施錠装置によりガラス枠の開放を規制している。図１５は前面枠Ｍを外枠Ｓに施錠する従来の代表的な施錠装置を示し、従来の施錠装置は、前面枠Ｍの開放側の縦枠に沿って設けられた縦長のベースプレート１の上部と下部にそれぞれ傾動可能な係合フック２を備えている。また、ベースプレート１にはこれ沿って上下方向に昇降可能なスライド部材３を設けてその上端および下端をそれぞれ係合フック２と連結し、スライド部材３の上下方向の昇降により、両係合フック２をほぼ水平姿勢をなす施錠位置と、下方へ傾動する解錠位置とに作動可能としている。スライド部材３はバネ部材３３により下側へ付勢され、通常、両係合フック２を上記施錠位置に保持している。スライド部材３は、ベースプレート１の中間に設けたシリンダ錠１０のキー操作により上方へスライドして両係合フック２を上記解錠位置に切り換えるようにしている。施錠装置は、前面枠Ｍ閉鎖時、外枠Ｓの開放側の縦枠に設けられた各係合金具４に各係合フック２を上記施錠位置で係合することにより前面枠を施錠する（例えば、特許文献１参照。）。尚、図例は係合フック２を下側へ傾動することにより解錠するものを示したが、従来の施錠装置にはスライド部材を下降することにより係合フックを上方へ傾動せしめて解錠するものもある。
【０００３】
また従来、ガラス枠を前面枠に施錠する場合、上記施錠装置を前面枠の開放側の縦枠に設け、ガラス枠の開放側の縦枠に係合金具を設けておき、ガラス枠閉鎖時に、前面枠側に設けた施錠装置の係合フックをガラス枠の上記係合金具に係合することで施錠をすることが行われている。
【０００４】
【特許文献１】
特許第２５０８４５２号公報
【０００５】
【発明が解決しようとする課題】
しかしながら、従来の施錠装置では、係合フック２と係合金具４とを上下方向に係合するのみの施錠であり、かつ外枠と前面枠または前面枠とガラス枠の開放側の縦枠どうしを施錠するのみであるため施錠強度が不十分であり、外枠と前面枠または前面枠とガラス枠の境界に、故意に先の尖った工具等を差し込んでこじることにより各枠部材間に隙間ができやすいという問題点があった。例えば、外枠と前面枠との間に隙間ができると、該隙間から先端を複数の段差状に屈曲した特殊な板バネ材等を機台内に差し込み、該板バネ材の先端を係合フック２に引っ掛けて強制的に係合フック２を解錠位置へ傾動せしめて前面枠を開放し、前面枠背面の制御基板を改変する等の不正行為が行われるおそれがある。また、前面枠とガラス枠との間に隙間ができると、そこから遊技盤上へセルロイド板や針金等を挿入して、遊技球の進路を強制的に変えたり、大入賞口や始動口を強制的に開放する等の不正行為が行われるおそれがある。そこで本発明は、施錠強度が高く、各枠部材間に隙間ができ難く、不正行為を防止する遊技機の施錠装置を提供することを課題としてなされたものである。
【０００６】
【課題を解決するための手段】
本発明は、外枠の前に前面枠が開閉可能に設けられ、前面枠の前にガラス枠が開閉可能に設けられた遊技機におけて、外側の枠部材に開閉可能に設けられた前側の枠部材の開放を規制する施錠装置であって、外側の枠部材または前側の枠部材のいずれか一方の枠部材の開放側の縦枠に配設し、施錠位置と、開放操作による解錠位置とに切換可能な係合フックと、上記縦枠に沿って上下方向に進退可能に設けられ、上方または下方のいずれかへ進出する施錠位置と、上記開放操作により上記施錠位置から逆方向へ後退する解錠位置とに切換可能な係合ロッドとを備え、上記前側の枠部材の閉鎖時に、上記係合フックを上記施錠位置で相手側の枠部材の縦枠に設けた係合金具に係合せしめるとともに、上記係合ロッドを上記施錠位置で上記相手側の枠部材の横枠に設けた係合孔に挿入せしめて上記相手側の枠部材の縦枠および横枠に施錠せしめるようになした（請求項１）。係合フックと係合金具、係合ロッドと係合孔とをそれぞれ係合せしめて施錠するようにしたので、外側の枠部材と前側の枠部材間の施錠箇所が増え、かつ相手側の枠部材の縦枠および横枠に施錠するようにしたので、施錠強度が高く、各枠部材間に隙間ができ難く、不正行為を防止することができる。
【０００７】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠の開放操作により係合フックを上記解錠位置に切換えるようになし、上記係合ロッドを、上記ベースプレートに沿う上下方向に進退可能に支持せしめ、かつ連動手段を介して上記スライド部材と連結し、スライド部材の昇降作動により係合ロッドを上記施錠位置と上記解錠位置とに進退可能とする（請求項２）。上下方向に移動するスライド部材により、好適に係合ロッドを施錠位置と解錠位置とに作動せしめることができる。
【０００８】
上記スライド部材は、上記開放操作により上昇して上記係合フックを上記解錠位置へ作動せしめるように設けられ、上記連動手段として、上記ベースプレートおよび上記スライド部材に、上記係合ロッドの基端を一連に挿通せしめる第１のスリットおよび第２のスリットを設け、ベースプレートに設けた上記第１のスリットには、スライド部材の昇降により上記第２のスリットを介して上下動する上記係合ロッドの基端を摺動案内する第１のガイド部と、中間位置に係合ロッドが上記施錠位置となるようにその基端を嵌合する嵌合部を設ける一方、上記スライド部材に設けた第２のスリットにはその下端末に、スライド部材を上記開放操作により最上部へ上昇させたとき、上記係合ロッドの基端が上記第１のスリットの嵌合部に嵌合しないように案内する第２のガイド部を設け、かつ、上記係合ロッドの基端を第１のスリットの嵌合部との係合方向へ付勢する付勢部材を設ける（請求項３）。
【０００９】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠の開放操作により係合フックを上記解錠位置に切換えるようになし、上記係合ロッドを、上記ベースプレートに沿う上下方向に進退可能に支持せしめ、かつ連動手段を介して上記係合フックと連結し、係合フックの切換作動により係合ロッドを上記施錠位置と上記解錠位置とに進退可能とする（請求項４）。上下方向に移動する係合フックにより、好適に係合ロッドを施錠位置と解錠位置とに作動せしめることができる。
【００１０】
上記係合フックは、上記開放操作による上記スライド部材の下降によりフック端が上方へ傾動して上記解錠位置へ作動せしめるように設けられ、上記連動手段として上記係合フックのフック端に、係合フックの上記解錠位置への傾動により上記係合ロッドの基端を押し上げるプッシュロッドを設け、上記相手方の枠部材の係合孔に、係合ロッドが上記施錠位置へ押し上げられるとロッド先端を係脱可能に把持して係合ロッドを上記施錠位置に保持するクランプ部材を設ける（請求項５）。
【００１１】
上記施錠装置は、上記縦枠に沿う縦長のベースプレートと、該ベースプレートの上下方向に沿って昇降可能なスライド部材と、該スライド部材を昇降作動せしめるシリンダ錠を備え、上記ベースプレートの上部および下部にそれぞれ上記係合フックを傾動可能に設けるとともに両係合フックを上記スライド部材に連結してスライド部材の昇降作動により係合フックを上記施錠位置と上記解錠位置とに切換可能とし、上記スライド部材を付勢する付勢手段を設けて係合フックを上記施錠位置に保持せしめる一方、上記シリンダ錠のキー操作により係合フックを上記解錠位置に切換えるようになし、上記係合ロッドを、上記ベースプレートに設けた電磁ソレノイドの進退可能なプランジャーで構成し、上記シリンダ錠の開放操作によりオン、オフするスイッチを設けて該スイッチにより上記電磁ソレノイドを作動状態または非作動状態に切換えることで、上記係合ロッドを上記施錠位置と上記解錠位置とに進退せしめるようになす（請求項６）。電磁ソレノイドにより、好適に係合ロッドを施錠位置と解錠位置とに作動させることができる。
【００１２】
上記係合ロッドは、上記スイッチのオン時に上記電磁ソレノイドが作動して上記解錠位置に後退するように設定する（請求項７）。電磁ソレノイド非作動時に係合ロッドが施錠位置となるので、電源が遮断されているときに解錠できず、パチンコ店の閉店時など不正行為を防止することができる。
【００１３】
【発明の実施の形態】
図１ないし図７に基づいて本発明の第１の実施形態を説明する。本実施形態は、パチンコ機の外側の枠部材たる外枠に開閉可能に設けた前側の枠部材たる前面枠を施錠する施錠装置に本発明を適応したものである。パチンコ機には長方形状の外枠の前に前面枠を配し、前面枠の一方の縦枠の上下端を外枠の縦枠の上下端にヒンジ結合し、前面枠を外枠に対して水平方向に開閉自在に取付けてある。図１に示すように、前面枠Ｍの他方（開放側）の縦枠の背面には施錠装置が設置してあり、前面枠Ｍは施錠装置により外枠Ｓに対して閉鎖状態に施錠される。外枠Ｓに対して前面枠Ｍを開放して前面枠Ｍの背面に設置された各種の制御装置のメンテナンス等を行なう。前面枠Ｍの内側には遊技盤が収納してあり、前面枠Ｍに遊技盤を覆うようにガラス枠を開閉可能に設け、ガラス枠を前面枠Ｍに対して開放して遊技盤上の球つまりの解消や遊技釘等の調整を行なう。
【００１４】
図１ないし図３に示すように、前面枠Ｍを外枠Ｓに施錠する施錠装置は、前面枠Ｍの開放側の縦枠の背面に沿って縦方向に延びるベースプレート１を備えている。ベースプレート１は断面ほぼＬ字形の金属板で、取付け部１ｂを前面枠Ｍの上記縦枠の背面に沿って固定して、上記縦枠の背面から後方へ突出する縦壁状の支持部１ａが設けてある。尚、取付け部１ｂの上下中間位置には前方へ突出するシリンダ錠１０が取付けてあり、シリンダ錠１０は上記縦枠に形成した取付け穴を貫通して前面枠Ｍの前面側に突出せしめてある。
【００１５】
ベースプレート１の支持部１ａにはその上部および下部にそれぞれ係合フック２が傾動可能に設けてある。各係合フック２は前後中間位置が支軸２０により支持部１ａに枢支され、ほぼ水平位置と支軸２０を中心にフック後端が下がる傾動位置とに変位可能としてある。係合フック２には支持部１ａより後方へ突出する後部に、上縁を切欠いて、前面枠Ｍ閉時に外枠Ｓの縦枠（図略）に設けた係合金具４を嵌合係止する係合溝２１が形成してある。またフック後端から係合溝２１にかけて前上がり傾斜状の案内部２２が形成してある。
【００１６】
ベースプレート１の支持部１ａには取付け部１ｂとの屈曲部に沿って上下方向に昇降可能な縦長のスライド部材３が設けてある。スライド部材３は上下中間位置に形成した縦長の長穴３０にリベット軸３１を挿通し、該リベット軸３１をベースプレート１の支持部１ａにカシメ固定することで支持部１ａに取付けられ、上記長穴３０の上端縁がリベット軸３１に当接する下限位置と、長穴３０の下端縁がリベット軸３１に当接する上限位置との間を上下方向昇降可能としてある。
【００１７】
スライド部材３は、その上部および下端がそれぞれ、各係合フック２のフック前端と連結軸３２により相対回動可能に連結してある。そして、スライド部材３はこれとベースプレート１の取付け部１ｂとの間に架設したバネ部材３３により上記下限位置側へ付勢され、各係合フック２をほぼ水平な施錠位置に保持している。また、スライド部材３は、シリンダ錠１０のカム機構１０１と連結してある。そしてシリンダ錠１０のキー操作により、スライド部材３は、バネ部材３３の付勢力に抗して上記上限位置へ上昇し、各係合フック２をフック後端が下がる解錠位置へと傾動させる。
【００１８】
ベースプレート１の支持部１ａの上端にはスライド部材３の上方位置に、スライド部材３と反対側の板面に沿って上下方向に延びる金属棒からなる係合ロッド５が設けてある。係合ロッド５は支持部１ａの上記板面に設けた上下のホルダー部１１ａ，１１ｂにより保持され、ロッド先端が支持部１ａの上縁から上方へ突出する上昇位置とロッド先端が支持部１ａの上縁よりも下がる下降位置とを上下動可能としてある。また、外枠Ｓの横枠の下面には、前面枠Ｍ閉鎖時に、係合ロッド５のロッド先端と対向する位置に係合孔６が形成してある。係合孔６は係合ロッド５の突出量よりも深くしてあり、孔径は係合ロッド５のロッド先端よりも若干大径で、ロッド先端を挿入可能な大きさにしてある。
【００１９】
係合ロッド５はその基端（下端）５１がＬ字形に屈折してあり、基端５１は、ベースプレート１の支持部１ａおよびスライド部材３の上端にそれぞれ形成され互いに重なる第１のスリット７ａおよび第２のスリット７ｂに一連に挿通してある。第１および第２のスリット７ａ，７ｂはスライド部材３の昇降動と連動させて係合ロッド５を上下動させる連動手段をなす。第１のスリット７ａは、上下方向に縦長で係合ロッド５の基端５１を上下方向に案内せしめる第１のガイド部７１と、スリット上端縁から後方かつ斜め下方へ向けてスリット幅を拡張し、第１のスリット７ａの上下ほぼ中間位置に、係合ロッド５の基端５１を上記上昇位置で嵌合係止する嵌合部７２が形成してある。
【００２０】
第２のスリット７ｂは、第１のスリット７ａよりも若干縦長に形成してあり、スライド部材３が上記下限位置にあるとき、第２のスリット７ｂの上端縁が第１のスリット７ａの上端縁とほぼ同じ位置か若干上方に位置するようにしてあり、第１のスリット７ａと全体的に重なるようにしてある。第２のスリット７ｂのスリット幅は、第１のスリット７ａの第１のガイド部７１と嵌合部７２を合わせた最大スリット幅と同じにしてある。スライド部材３の上昇時に係合ロッド５の基端５１と当接してこれを押し上げる第２のスリット７ｂの下端縁には、前側を低くし後側を高くした湾曲階段状で、係合ロッド５の基端５１を第１のスリット７ａの嵌合部７２側から第１のガイド部７１側へ案内する第２のガイド部７３が形成してある。第２のスリット７ｂの下端縁は、スライド部材３が上記上限位置に上昇したとき、第２のガイド部７３の低部が第１のスリット７ａの上端縁よりも下方に位置し、第２のガイド部７３の高部が第１のスリット７ａの上端縁よりも上方に位置するようにしてある。
【００２１】
また、第１および第２のスリット７ａ，７ｂを貫通せしめた係合ロッド５の基端５１には、これとベースプレート１の支持部１ａとの間にバネ部材５２が架設され、該バネ部材５２の付勢力により、係合ロッド５の基端５１を後方かつ下方へ付勢している。
【００２２】
このように構成した施錠装置の施錠動作を図３ないし図５に基づいて説明する。前面枠Ｍの開放時、施錠装置の係合フック２はほぼ水平な施錠位置に保持され、係合ロッド５はその基端５１が第１のスリット７ａの第１のガイド部７１の下端縁に当接してロッド先端がベースプレート１の支持部１ａの上縁よりも下がった解錠位置となっている。前面枠Ｍを閉じ方向に回動すると、図３（Ａ）に示すように、係合フック２の案内部２２が外枠Ｓの係合金具４に当接する。更に前面枠Ｍを閉じ方向に押し込むと、図３（Ｂ）に示すように、係合フック２の案内部２２と係合金具４とが相対移動して係合フック２が下方へ傾動する。このとき、係合フック２の傾動によりスライド部材３が上方へ引き上げられる。
【００２３】
図３（Ｂ）（Ｃ）に示すように、更に前面枠Ｍを閉じ方向に押し込むと、係合フック２のフック後端の案内部２２が係合金具４を乗り越える。案内部２２が係合金具４を乗り越えると、バネ部材３３の付勢によりスライド部材３が下降し、係合フック２がほぼ水平な施錠位置に復帰して、係合フック２の係合溝２１内に係合金具４が嵌合して施錠する。
【００２４】
一方、係合ロッド５は、図３（Ａ）（Ｂ）、図４のａ．ないしｄ，に示すように、係合フック２の傾動によりスライド部材３が上方へ引き上げられると、スライド部材３の上昇により、第２のスリット７ｂの下端縁の第２のガイド部７３の低部が係合ロッド５の基端５１に当接し、バネ部材５２に抗して上方へ押し上げられる。これにより係合ロッド５はロッド先端が外枠Ｓの係合孔６に進入する。
【００２５】
図３（Ｂ）（Ｃ）、図４のｄ．ないしｇ，および図５に示すように、係合フック２の案内部２２が係合金具４を乗り越えてスライド部材３が下降し始めると、係合ロッド５はバネ部材５２の付勢力により基端５１が第２のスリット７ｂの下端縁の第２のガイド部７３の低部から高部側へ移動する（図５）。更にスライド部材３が下降すると、基端５１が第１のスリット７ａの嵌合部７２に嵌合し、係合ロッド５はロッド先端がベースプレート１の支持部１ａの上縁よりも上方へ突出する施錠位置に保持され、係合ロッド５はロッド先端を外枠Ｓの係合孔６に挿入せしめた状態で施錠する。尚、施錠時の係合フック２の傾動によりスライド部材３の上昇は、上限位置まで至らず、係合ロッド５の基端５１は第１のガイド部７１の途中から嵌合部７２側へ移動することとなる。
【００２６】
次に、図６および図７に基づいて前面枠を開放する解錠動作について説明する。前面枠を開放するにはシリンダ錠１０にキーを差し込み、回し操作（キー操作）することによりなされる。図６（Ａ）（Ｂ）に示すように、施錠状態から上記キー操作を行うと、スライド部材３が上限位置へ上昇し、係合フック２が下方へ傾動して解錠位置となり、係合フック２と係合金具４の施錠が解錠される。
【００２７】
一方、図６（Ａ）（Ｂ）、図７のａ．ないしｅ．に示すように、係合ロッド５は、キー操作によりスライド部材３が上昇すると、第２のスリット７ｂの下端縁の第２のガイド部７３の高部が係合ロッド５の基端５１に当接し、バネ部材５２に抗して上方へ押し上げられる。このとき、係合ロッド５の基端５１は、第１のスリット７ａの上端縁から嵌合部７２に至る傾斜部により案内されて第２のスリット７ｂの下端縁の第２のガイド部７３の高部から低部側へ移動し、スライド部材３が上限位置へ至ると、係合ロッド５の基端５１は、第１のスリット７ａの上端縁に当接し、かつ第２のスリット７ｂの下端縁の第２のガイド部７３の低部に嵌入する。
【００２８】
そして、図６（Ｂ）（Ｃ）、図７のｅ．ないしｉ．に示すように、キー操作をゆっくり戻し、スライド部材３を下降させることで、係合ロッド５は、基端５１が第２のガイド部７３の低部に嵌入した状態で、第１のスリット７ａの第１のガイド部７１に沿って下降し、ロッド先端が外枠Ｓの嵌合穴６から後退するとともにベースプレート１の支持部１ａの上縁から下がって解錠する。
【００２９】
本実施形態によれば、従来構造に比べて施錠箇所を増やし、かつ前面枠Ｍの開放側の縦枠を外枠Ｓの開放側の縦枠と横枠とに施錠するようにしたので、施錠強度を向上することができる。従って、前面枠Ｍと外枠Ｓとの間に隙間ができにくく、異物の挿入が困難で、不正に前面枠Ｍを開放することができない。
【００３０】
特に、係合ロッド５の解錠は、係合フック２と係合金具４との係合解除に比べて、スライド部材３を上限位置まで上昇させないと解錠することができないので、仮に前面枠Ｍと外枠Ｓとの間に特殊な板バネ材等を差し込むことができ、これにより係合フック２を傾動させて係合金具４との係合が解除できたとしても、この時点ではスライド部材３が上限位置まで上昇せず、係合ロッド５は解錠しない。従って不正な解錠操作では容易に係合ロッド５を解錠することができず、前面枠Ｍを開放することができない。
【００３１】
上述の実施形態では係合ロッドをベースプレートの上端に設け、外枠の上側の横枠に施錠するようにしたが、係合ロッドをベースプレートの下端に設け、外枠の下側の横枠に施錠するようにしてもよく、これによれば上述の第１の実施形態尾と同様な作用効果が得られる。更に係合ロッドをベースプレートの上下両端に設け、外枠の上下の横枠に施錠するようにしてもよく、より効果的に前面枠を外枠に施錠することができる。
【００３２】
また、上述の実施形態では本発明の施錠装置を前面枠と外枠との施錠に用いたが、本発明の施錠装置をガラス枠と前面枠との施錠に用いてもよい。この場合、施錠装置を前面枠の開放側の縦枠に設け、その係合フックをガラス枠の開放側の縦枠に設けた係合金具に施錠するとともに、係合ロッドをガラス枠の横枠に設けた係合孔に嵌入して施錠するようにする。これによれば、ガラス枠と前面枠との施錠強度が向上し、ガラス枠と前面枠との間に隙間ができず、遊技盤の盤面上へ異物を挿入することが困難で、遊技球の進路を変えたり、大入賞口や始動口を強制的に開放する等の不正行為を防止することができる。
【００３３】
次に、図８ないし図１２に基づいて本発明の第２の実施形態を説明する。本実施形態の基本構造は第１の実施形態のそれとほぼ同じで、以下、相違点を中心に説明し、図において同一部材は同一符号で表す。図８に示すように、係合フック２Ａは、下縁の前後中間位置に係合溝２１が形成してあり、フック後縁から係合溝２１にかけて前下がり傾斜上の案内部２２ａが設けてある。係合フック２Ａは、ベースプレート１の支持部１ａの上部および下端にそれぞれ、支軸２０より支持され、ほぼ水平な施錠位置と、フック後端側が上方へ移動する解錠位置とに傾動可能としてある。
【００３４】
ベースプレート１の支持部１ａに沿って上下方向に昇降可能な縦長のスライド部材３は、その上端および下端がそれぞれ、各係合フック２Ａのフック前端と連結軸３２により相対回動可能に連結してある。そして、スライド部材３はバネ部材３３により上記下方へ付勢され、各係合フック２Ａを上記施錠位置に保持している。また、スライド部材３は、シリンダ錠１０のキー操作によりカム機構１０１を介して、バネ部材３３の付勢力に抗して上昇し、各係合フック２Ａを上記解錠位置へと傾動させる。
【００３５】
ベースプレート１の支持部１ａの上端には係合フック２Ａと反対側の板面に、その後縁に沿うように係合ロッド５Ａが設けてある。係合ロッド５Ａは、上下方向に延びるロッド本体５０と、その下端に相対回動可能に連結した延長部５３とで構成してある。ロッド本体５０は、その上部が支持部１ａの上端に設けたホルダー１１ａに保持されている。ロッド本体５０の中間部は、これに突設したリベット５４を支持部材１ａの縦長の長穴１２に挿通して、支持部１ａの板面に沿うようにしてある。ロッド本体５０は、リベット５４が長穴１２の上端縁に当接してロッド先端が支持部材１ａの上縁から上方へ突出する施錠位置と、リベット５４が長穴１２の下端縁に当接してロッド先端が支持部材１ａの上縁よりも下がった解錠位置との間を上下動可能としてある。延長部５３はその先端を係合フック２Ａ側へ向け、長手方向の中間部を支軸５５により支持部１ａの板面に揺動可能に軸支してある。延長部５３はロッド本体５０が上記解錠位置のとき、ロッド本体５０との連結部がほぼ直角に屈折するようにしてある。
【００３６】
係合フック２Ａには、係合ロッド５Ａの下方へ向かって延出するプッシュロッド２３が設けてある。プッシュロッド２３は、基端が係合フック２Ａの係合溝２１と案内部２２ａとの境付近に固定され、支持部１ａに形成した抜穴１３を貫通して、プッシュロッド先端がロッド本体５０と延長部５３の連結部の直下位置へ延設してある。プッシュロッド２３は、係合フック２Ａが上方の解錠位置へ傾動することにより、プッシュロッド先端が係合ロッド５Ａの上記連結部から延長部５３にかけて当接して係合ロッド５Ａ上記施錠位置へ押し上げる。
【００３７】
係合ロッド５Ａに対応して、外枠Ｓの横枠の下面には、前面枠Ｍ閉鎖時に、係合ロッド５のロッド先端と対向する位置に係合孔６Ａが形成してある。そして、係合孔６Ａの内部には、係合ロッド５Ａが施錠位置へ突出したときに、ロッド先端を把持して係合ロッド５Ａを施錠状態に保持するクランプ部材８が設置してある。クランプ部材８は、図１１および図１２に示すように、下方へ開口する箱型のケース８０の内部に上下動可能に作動部材８１が組付けてあり、作動部材８１にはその両端から下方へ向かって突出し、かつ開閉自在な一対のアーム８２が設けてある。通常、作動部材８１はケース８０の下端開口に位置し、アーム８２は開放している（図１２（Ａ））。下方より作動部材８１の底面に棒部材等が当接し、棒部材が作動部材８１を押し上げると、作動部材８１が上方へ移動するに従ってアーム８２が閉じて棒部材を挟み込む。作動部材８１は所定の位置まで押し上げられると、その位置でロックされ、閉じたアーム８２により棒部材を把持する。再度、上記棒部材で作動部材８１を上記所定の位置よりも押し上げると、ロックが解除され作動部材８１が下がってアーム８２を開き、棒部材を開放する。
【００３８】
本実施形態の施錠装置の施錠動作を説明する。図９（Ａ）に示すように、前面枠Ｍの開放時、施錠装置の係合フック２Ａはほぼ水平な施錠位置に保持され、係合ロッド５Ａもロッド先端がベースプレート１の支持部１ａの上縁よりも下がった解錠位置となっている。一方、外枠Ｓの係合孔６Ａのクランプ部材８は開放状態となっている。前面枠Ｍを閉じると、係合フック２Ａの案内部２２ａが外枠Ｓの係合金具４に当接し、更に前面枠Ｍを閉じ方向に押し込むと、図９（Ｂ）に示すように、案内部２２ａと係合金具４とが相対移動して係合フック２Ａが上方へ傾動する。このとき、係合フック２の傾動によりプッシュロッド２３が係合ロッド５Ａを押し上げる。
【００３９】
図９（Ｂ）（Ｃ）に示すように、更に前面枠Ｍを閉じ方向に押し込むと、係合フック２Ａの案内部２２ａが係合金具４を乗り越える。案内部２２ａが係合金具４を乗り越えると、スライド部材３により係合フック２Ａがほぼ水平な施錠位置に復帰して、係合フック２Ａの係合溝２１内に係合金具４が嵌合して施錠する。
【００４０】
係合ロッド５Ａは、係合フック２Ａの傾動によるプッシュロッド２３の押し上げで、ロッド先端がクランプ部材８の作動部材８１に当接してこれを押し上げる。係合ロッド５Ａが作動部材８１を押し上げると、両側のアーム８２が閉じて係合ロッド５Ａのロッド先端を挟み込む。更に作動部材８１を押し上げると、所定の位置で作動部材８１がロックし、アーム８２の挟み込みにより係合ロッド５Ａは施錠位置に保持される。そして、係合フック２Ａが係合金具４を乗り越えて施錠位置に復帰し、プッシュロッド２３が下がっても係合ロッド５Ａは施錠位置に保持されて施錠することとなる。
【００４１】
前面枠Ｍを開放するにはシリンダ錠１０にキーを差し込み、キー操作することにより行なう。図１０（Ａ）（Ｂ）に示すように、施錠状態から上記キー操作を行うと、スライド部材３が下降し、係合フック２Ａが上方へ傾動して解錠位置となり、係合フック２Ａと係合金具４の係合が解除される。
【００４２】
キー操作により係合フック２Ａが上方へ傾動すると、プッシュロッド２３により係合ロッド５Ａが押し上げられ、係合ロッド５Ａは、再度、クランプ部材８の作動部材８１を上記所定の位置よりも押し上げることとなる。これにより、作動部材８１のロックが解除されアーム８２が開いて係合ロッド５Ａを開放する。そして、キー操作を戻し、係合フック２Ａを施錠位置へ復帰させることで、係合ロッド５Ａが解錠位置へ復帰し、ロッド先端がベースプレート１の支持部１ａの上縁から下がって解錠する。
【００４３】
本実施形態によれば、第１の実施形態と同様に、従来構造に比べて施錠箇所を増やし、かつ前面枠Ｍの開放側の縦枠を外枠Ｓの開放側の縦枠と横枠とに施錠するようにしたので、施錠強度を向上することができる。従って、前面枠Ｍと外枠Ｓとの間に隙間ができにくく、異物の挿入が困難で、不正に前面枠Ｍを開放することができない。
【００４４】
本実施形態では、係合ロッドをベースプレートの下端に設けてもよく、またベースプレートの上下両端に設けるようにしてもてもよい。またガラス枠と前面枠との施錠に用いてもよい。
【００４５】
本発明の第３の実施形態を説明する。本実施形態の基本構造は第１の実施形態のそれとほぼ同じで、以下、相違点を中心に説明し、図において同一部材は同一符号で表す。図１３に示すように、ベースプレート１の支持部１ａの上端縁に電ソレノイド９が設置してあり、支持部１ａ上縁よりも上方へ突出可能で、かつ支持部１ａ上縁より下げることが可能な電磁ソレノイド９のプランジャにより係合ロッド５Ｂを構成している。係合ロッド５Ｂは通常バネ部材５６により支持部１ａ上縁よりも上方へ突出する施錠位置に付勢されている。そして、係合ロッド５Ｂは、電磁ソレノイド９に電圧が印加されて電磁ソレノイド９が作動すると、上記バネ部材５６に抗して、ロッド先端が支持部１ａ上縁よりも下がった解錠位置へ後退するようにしてある。
【００４６】
また、シリンダ錠１０の内部には、シリンダ錠１０にキーを差し込むとオンするスイッチ（図略）を設け、これにより電磁ソレノイド９が作動するように電気的に接続してある。
【００４７】
外枠Ｓの横枠の下面には、前面枠Ｍ閉鎖時に、係合ロッド５Ｂのロッド先端と対向する位置に係合孔６Ｂが形成してある。係合孔６Ｂは係合ロッド５Ｂの突出量よりも深くしてあり、孔径は係合ロッド５Ｂのロッド先端よりも若干大径で、ロッド先端を挿入可能な大きさにしてある。
【００４８】
前面枠Ｍの開放状態から閉じる場合、図１４（Ａ）に示すように、シリンダ錠１０にキーを差し込み、これにより上記スイッチをオンにして電磁ソレノイド９を作動させ、係合ロッド５Ｂを解錠位置に保持しておく。そして、図１４（Ｂ）（Ｃ）に示すように、前面枠Ｍを閉じて、係合フック２を外枠Ｓの係合金具４に係合せしめる。その後、シリンダ錠１０からキーを抜いて、上記スイッチをオフにして電磁ソレノイド９を非作動とする。これにより係合ロッド５Ｂが施錠位置に復帰してロッド前端が係合孔６Ｂに嵌入して施錠する。
【００４９】
前面枠Ｍを開放するにはシリンダ錠１０にキーを差し込んで、電磁ソレノイド９を作動させて係合ロッド５Ｂを解錠位置へ解錠する。そして、キー操作を行い係合フック２を解錠する。
【００５０】
本実施形態によれば、第１の実施形態と同様な作用効果が得られ、前面枠Ｍと外枠Ｓとの間に隙間ができにくく、異物の挿入が困難で、不正に前面枠Ｍを開放することができない。係合ロッド５Ｂは電磁ソレノイド９が非作動状態で、施錠位置となるようにしたので、パチンコ店の閉店時に店内の電源を落としても解錠しないので、閉店中の不正行為の防止効果も向上する。
【００５１】
本実施形態では、係合ロッドをベースプレートの下端に設けてもよく、またベースプレートの上下両端に設けるようにしてもてもよい。またガラス枠と前面枠との施錠に用いてもよい。
【００５２】
本実施形態において、電磁ソレノイド９を制御するスイッチは、スライド部材３の解錠動作または係合フック２の解錠動作によりオン／オフするようにしてもよい。また電磁ソレノイド９は、パチンコ店のホールコンピュータ等の集中管理装置の信号により制御するようにしてもよい。
【００５３】
【発明の効果】
本発明は、パチンコ機等の遊技機の外側の枠部材に開閉可能に設けられた前側の枠部材の開放を規制する施錠装置の施錠強度を向上することができ、各枠部材間に隙間ができ難く、不正に枠部材を開放して制御基板を改変したり、遊技盤上に針金等の異物を挿入して遊技球の進路を強制的に変えたり入賞口等を強制的に開放する等の不正行為を防止することができる。
【図面の簡単な説明】
【図１】本発明の第１の実施形態の施錠装置の側面図である。
【図２】上記施錠装置の要部を示す分解斜視図である。
【図３】上記施錠装置の施錠動作を示す作動説明図である。
【図４】上記施錠装置の係合ロッドを昇降せしめる連動手段のロッド上昇動作を示す作動説明図である。
【図５】図４のｄ．とｅ．との間の詳細な動作を示す作動説明図である。
【図６】上記施錠装置の解錠動作を示す作動説明図である。
【図７】上記連動手段のロッド下降動作を示す作動説明図である。
【図８】本発明の第２の実施形態の施錠装置の側面図である。
【図９】上記施錠装置の施錠動作を示す作動説明図である。
【図１０】上記施錠装置の解錠動作を示す作動説明図である。
【図１１】本発明の第２の実施形態に用いるクランプ部材の斜視図である。
【図１２】上記クランプ部材の作動説明図である。
【図１３】本発明の第３の実施形態の施錠装置の側面図である。
【図１４】上記施錠装置の施錠動作を示す作動説明図である。
【図１５】従来の施錠装置の側面図である。
【符号の説明】
Ｓ  外側の枠部材（外枠）
Ｍ  前側の枠部材（前面枠）
１  ベースプレート
２，２Ａ  係合フック
２３  プッシュロッド
３  スライド部材
３３  付勢手段（バネ部材）
４  係合金具
５，５Ａ，５Ｂ  係合ロッド
５１  基端
５２  付勢部材（バネ部材）
６，６Ａ，６Ｂ  係合孔
７ａ  第１のスリット（連動手段）
７ｂ  第２のスリット（連動手段）
７１  第１のガイド部
７２  嵌合部
７３  第２のガイド部
８  クランプ部材
９  電磁ソレノイド
１０  シリンダ錠
【図１】
2004154316.tif 000003
【図２】
2004154316.tif 000004
【図３】
2004154316.tif 000005
【図４】
2004154316.tif 000006
【図５】
2004154316.tif 000007
【図６】
2004154316.tif 000008
【図７】
2004154316.tif 000009
【図８】
2004154316.tif 000010
【図９】
2004154316.tif 000011
【図１０】
2004154316.tif 000012
【図１１】
2004154316.tif 000013
【図１２】
2004154316.tif 000014
【図１３】
2004154316.tif 000015
【図１４】
2004154316.tif 000016
【図１５】
2004154316.tif 000017